(57)【要約】【課題】独立部品としてのアパーチュアを不要にした光走査装置を実現する。【解決手段】光源１０からの光束をカップリングレンズ１２でカップリングし、カップリングされた光束を第１結像光学系１４ａにより主走査対応方向に長い線像として結像させ、この線像の結像位置近傍に偏向反射面を持つ光偏向器１６で等角速度的に偏向させ、偏向された光束を第２結像光学系１８により被走査面上に光スポットとして集光して被走査面の光走査を行なう光走査装置において、光学系を配備されるハウジング２０が金型により成形されるものであり、カップリングされた光束の主光線を含み、光スポットを形成する主光束部分を通過させ、主光束部分の外側の周辺光束部分を遮断する周辺光束遮光用部分１７が、ハウジング２０に一体として形成されている。【選択図】  図７
2004272273.tif 000002
【特許請求の範囲】
【請求項１】
光源からの光束をカップリングレンズでカップリングし、カップリングされた光束を第１結像光学系により主走査対応方向に長い線像として結像させ、この線像の結像位置近傍に偏向反射面を持つ光偏向器で等角速度的に偏向させ、偏向された光束を第２結像光学系により被走査面上に光スポットとして集光して上記被走査面の光走査を行なう光走査装置において、
光学系を配備されるハウジングが金型により成形されるものであり、
カップリングされた光束の主光線を含み光スポットを形成する主光束部分を通過させ、上記主光束部分の外側の周辺光束部分を遮断する周辺光束遮光用部分が、上記ハウジングに一体として形成されることを特徴とする光走査装置。
【請求項２】
請求項１記載の光走査装置において、
周辺光束遮光用部分が、複数の構成部分を光路上の異なる位置に配備して成ることを特徴とする光走査装置。
【請求項３】
請求項１または２記載の光走査装置において、
第１結像光学系が、カップリングされた光束の光束断面を規制するアパーチュア機能を有し、
上記第１結像光学系の少なくとも１面が、カップリングされた光束の主光線を含み光スポットを形成する主光束部分を通過させ、上記主光束部分の外側の周辺光束部分を上記主光束部分とは異なる方向へ反射もしくは屈折させる面形状を有することを特徴とする光走査装置。
【請求項４】
請求項３記載の光走査装置において、
第１結像光学系が、副走査対応方向にのみ正のパワーを有するシリンダレンズであって、主光束部分を通過させる部分の周囲に、周辺光束部分を主光束部分と異なる方向へ屈折させる周辺光束部分用の屈折面部分を有することを特徴とする光走査装置。
【請求項５】
請求項３記載の光走査装置において、
第１結像光学系が、副走査対応方向にのみ正のパワーを有するシリンダレンズであって、主光束部分を通過させる部分の周囲に、周辺光束部分を主光束部分と異なる方向へ反射させる反射面が形成されていることを特徴とする光走査装置。
【請求項６】
請求項５記載の光走査装置において、
第１結像光学系における反射面が、全反射面であることを特徴とする光走査装置。
【発明の詳細な説明】
【技術分野】
【０００１】
この発明は光走査装置に関する。
【背景技術】
【０００２】
光源からの光束をカップリングレンズでカップリングし、カップリングされた光束を第１結像光学系により主走査対応方向に長い線像として結像させ、この線像の結像位置近傍に偏向反射面を持つ光偏向器で等角速度的に偏向させ、偏向された光束を第２結像光学系により被走査面上に光スポットとして集光して被走査面の光走査を行なう光走査装置は、デジタル複写機や光プリンタ等に関連して広く知られている。
【０００３】
このような光走査装置は、所望の記録密度を実現するために被走査面上に形成される光スポットは主・副走査方向とも所望のスポット径を持たねばならない。
【０００４】
この目的のため通常、カップリングレンズと第１結像光学系との間の光路上にアパーチュアを配し、カップリングされた光束の周辺部分を遮断することが行なわれている（特許文献１等）。
【０００５】
アパーチュアにおける開口部の主走査対応方向（光源から被走査面までの光路を光軸に沿って直線的に展開した仮想的な光路上で主走査方向と平行的に対応する方向）の開口径および副走査対応方向（上記仮想的な光路上で副走査方向と平行的に対応する方向）の開口径により、光スポットの主・副走査方向のスポット径を調整でき、且つ、このようなアパーチュアを使用することにより被走査面上のスポット径を安定させることができる。
【０００６】
このように、アパーチュアの使用は光走査に有用であるが、アパーチュアが独立部品であるため、光走査装置構成のための部品点数の増加、組付け工程の増加やコスト高等の不具合がある。
【０００７】
【特許文献１】特開昭６３−５１６８７号公報
【発明の開示】
【発明が解決しようとする課題】
【０００８】
この発明は、独立部品としてのアパーチュアを不要にした光走査装置の実現を課題とする。
【課題を解決するための手段】
【０００９】
この発明の光走査装置は「光源からの光束をカップリングレンズでカップリングし、カップリングされた光束を第１結像光学系により主走査対応方向に長い線像として結像させ、この線像の結像位置近傍に偏向反射面を持つ光偏向器で等角速度的に偏向させ、偏向された光束を第２結像光学系により被走査面上に光スポットとして集光して被走査面の光走査を行なう光走査装置」である。
【００１０】
「光源」としては半導体レーザや発光ダイオードを有効に利用できる。
【００１１】
「カップリングレンズ」のカップリング作用は、光源からの光束を平行光束にするコリメート作用でもよいし、弱い発散性の光束にする作用でもよく、弱い収束性の光束にする作用でもよい。
【００１２】
「第２結像光学系」は、光スポットによる被走査面の主走査を等速化するｆθ機能等の等速化機能を有してもよいし、光源における変調速度を電気的に調整することにより、画素密度が主走査方向に一定になるようにしてもよい。
【００１３】
「第１結像光学系」は、例えば、凹シリンダミラー、１枚あるいは２枚以上のシリンダレンズ、さらには、シリンダミラーとシリンダレンズの組合せ等として構成することができる。第１結像光学系は、上記のように「カップリングされた光束を主走査対応方向に長い線像として結像させる」機能を持つから、副走査対応方向に関して正のパワーを持つ必要があるが、主走査対応方向に関しては、弱い正のパワーあるいは弱い負のパワーを有しても良い。
【００１４】
請求項１記載の発明の光走査装置は以下の如き特徴を有する。  
即ち、光学系を配備されるハウジングは「金型により成形されるもの」であって、「カップリングされた光束の主光線を含み、光スポットを形成する主光束部分」を通過させ、主光束部分の外側の周辺光束部分を遮断する周辺光束遮光用部分が、ハウジングに一体として形成される。
【００１５】
この場合において、周辺光束遮光用部分を「光路上の異なる位置に配備された複数の構成部分」で構成することができる（請求項２）。請求項１または２記載の光走査装置において、第１結像光学系として、以下のごときものを用いることができる。
【００１６】
即ち、第１結像光学系は「カップリングされた光束の光束断面を規制するアパーチュア機能」を有し、第１結像光学系の少なくとも１面は「カップリングされた光束の主光線を含み光スポットを形成する主光束部分を通過させ、主光束部分の（光束断面における）外側の周辺光束部分を主光束部分とは異なる方向へ反射もしくは屈折させる面形状」を有することができる（請求項３）。
【００１７】
この請求項３記載の光走査装置において、第１結像光学系を「副走査対応方向にのみ正のパワーを有するシリンダレンズとして構成」する場合、その主光束部分を通過させる部分の周囲に、周辺光束部分を主光束部分と異なる方向へ屈折させる「周辺光束部分用の屈折面部分」を有するように構成してもよいし（請求項４）、主光束部分を通過させる部分の周囲に、周辺光束部分を主光束部分と異なる方向へ反射させる「反射面」を形成するように構成しても良い（請求項５）。この請求項５記載の発明の光走査装置の場合には、上記「反射面」による反射が「全反射」であるようにすることができる（請求項６）。
【００１８】
なお、第１結像光学系の「周辺光束部分を屈折もしくは反射させる面」を、周辺光束部分を主光束部分から離れる向きに屈折もしくは反射させるように形成し、周辺光束部分を屈折もしくは反射させる面の外側の部分に「周辺光束部分を遮光するための遮光部」を印刷もしくはコーティングにより形成することができる。
【００１９】
以下には、この発明と同様の効果を得られる参考技術を説明する。
【００２０】
参考技術１の光走査装置では、第１結像光学系が、カップリングされた光束の光束断面を規制するアパーチュア機能を有し、第１結像光学系の少なくとも１面が「カップリングされた光束の主光線を含み、光スポットを形成する主光束部分」を通過させる部分と、この部分の周囲において、主光束部分の外側の周辺光束部分を遮断する周辺光束遮光部とを有し、この周辺光束遮光部は印刷もしくはコーティングにより形成され、主光束部分を通過させる部分は「周辺光束遮光部に対して窪んで」いる。
【００２１】
この参考技術１の場合においても、第１結像光学系は、副走査対応方向にのみパワーを持つシリンダレンズとして構成できるが、それ以外に、凹シリンダミラーや２枚以上のシリンダレンズ、さらには、シリンダミラーとシリンダレンズの組合せ等として構成することができ、主走査対応方向に関しては弱い正のパワーあるいは弱い負のパワーを有しても良い。また、第１結像光学系の、少なくともアパーチュア機能を有する部分は「プラスチックによる成形加工」で形成することができる。
【００２２】
参考技術２の光走査装置では、光学系を配備されるハウジングが「金型により成形されるもの」であり、第１結像光学系は請求項３または４または５または６記載のものであって、「主光束部分とは異なる方向へ反射もしくは屈折された周辺光束部分を遮光する遮光部」がハウジングに一体として形成される。
【発明の効果】
【００２３】
以上に説明したように、この発明によれば新規な光走査装置を実現できる。  
この発明の光走査装置においては、従来独立した部品として必要であったアパーチュアを省略できるので、光走査装置の部品点数を低減でき、組付け工程が簡単化され、コストの低減を実現できる。
【００２４】
請求項１、２記載の発明では、部品点数を増加させることなく、被走査面上に安定した光スポットを実現でき、請求項２記載の発明では、ハウジング形成用の型構造を簡素化でき、成形コストの低減化を実現できる。また、請求項３記載の発明では、第１結像光学系における周辺光束部分を反射もしくは屈折させる部分の、光軸に直交する面への投影面積を小さくでき、またハウジングに一体成形される周辺光束遮光用部分の精度をラフにできるので、ハウジングの歩留まりが向上し、ハウジングのコストの低減化を実現できる。
【発明を実施するための最良の形態】
【００２５】
以下、発明の実施の形態を説明する。  
図１（ａ）を参照して、この発明を適用できる光走査装置の１例を説明する。
【００２６】
図１（ａ）において、「光源」である半導体レーザ１０から放射された光束はカップリングレンズ１２によりカップリングされる。カップリングされた光束は前述のように「弱い発散性の光束や弱い収束性の光束」となることもできるが、この実施の形態においては「平行光束」になるものとする。即ち、カップリングレンズ１２の作用はコリメート作用である。
【００２７】
カップリングレンズ１２でカップリングされた光束は「第１結像光学系」をなすシリンダレンズ１４に入射する。シリンダレンズ１４は入射する平行光束を副走査対応方向（図１（ａ）において図面に直交する方向）にのみ収束させ「光偏向器」であるポリゴンミラー１６の偏向反射面近傍に主走査対応方向に長い線像に結像させる。
【００２８】
ポリゴンミラー１６が矢印方向へ等速回転すると、偏向反射面による反射光束は等角速度的に偏向する偏向光束となり、「第２結像光学系」であるｆθレンズ１８により被走査面上に光スポットとして集光する。被走査面に周面を接するようにして光導電性の感光体２０が配備されており、従って光スポットは実体的には感光体２０の周面をその母線方向へ等速的に走査することになる。
【００２９】
図１（ａ）において、第２結像光学系（ｆθレンズ１８）は模式的に１枚のレンズとして描かれているが、実際に光走査装置を構成するに当っては、第２結像光学系を２枚以上のレンズで構成することができることは言うまでもなく、第２結像光学系中に、長尺のシリンダレンズやトロイダルレンズ等、従来から面倒れや像面湾曲を補正するための光学系として知られる種々の光学素子を含んで良いことは言うまでもない。
【００３０】
「第１結像光学系」としてのシリンダレンズ１４は平凸のシリンダレンズであり、その凸面は入射側に向けられて「副走査対応方向にのみ正のパワー」を持つ。
【００３１】
上記の如く、請求項１記載の光走査装置では、光学系を配備されるハウジングが金型により成形され、「カップリングされた光束の主光線を含み、光スポットを形成する主光束部分を通過させ、主光束部分の外側の周辺光束部分を遮断する周辺光束遮光用部分」がハウジングに一体として形成される。
【００３２】
図７に即して、請求項１記載の光走査装置の実施の１形態を説明する。  
図７（ａ）において、符号２０はハウジングを示す。ハウジング２０には、図のように光源１０、コリメートレンズ１２、第１結像光学系としてのシリンダレンズ１４ａ、ポリゴンミラー１６や、第２結像光学系であるｆθレンズ１８等の光学系が配備されるとともに、「カップリングされた光束の主光線を含み光スポットを形成する主光束部分」を通過させ、主光束部分の外側の周辺光束部分を遮断する周辺光束遮光用部分１７がハウジング２０と一体に形成されている。
【００３３】
図７（ｂ）は、周辺光束遮光用部分１７を有するハウジング２０を金型で成形する状態を示している。４つの金型３１，３２，３３，３４が図の如く組み合わせられ、プラスチックの注入により、ハウジング２０を成形加工する。  
図７（ｃ）は、金型３１，３２，３３，３４を外した状態を示している。  
金型３１はハウジング２０の底面を形成する。金型３３，３４は互いに斜面で接し、先ず金型３４が金型３３の斜面に沿ってスライドされて取り外される。続いて、金型３２，３３が上方への移動で取り外される。最後に、金型３１からハウジング２０が取り外される。金型３４を斜めにスライドさせて型抜きを行なうので、周辺光束遮光用部分１７における「カップリングされた光束の主光線を含み、光スポットを形成する主光束部分」を通過させる開口部分には、図７（ｃ）に示すようにテーパが形成されることになる。
【００３４】
図８は、請求項２記載の発明の実施の形態であり、周辺光束遮光用部分が２つの構成部分１７１，１７２により形成されている。構成部分１７１，１７２は光路上の互いに異なる部分に設けられている。構成部分１７１は「主走査対応方向に関して両側の光束部分」を遮光し、「副走査対応方向に関して下側の光束部分」を遮光する。また構成部分１７１２は「副走査対応方向に関して上側の光束部分」を遮光する。従って、周辺光束遮光用部分をなす２つの構成部分１７１，１７２を光源１０側から光軸方向に見ると、互いに重なりあって長方形形状の開口として「カップリングされた光束の主光線を含み光スポットを形成する主光束部分を通過させる開口部分」を形成する。そして、周辺光束部分は構成部分１７１，１７２によりシリンダレンズ１４ａ側に対して遮光される。
【００３５】
図８（ａ）に示すようなハウジング２１は、図８（ｂ）に示す如き２つの金型３５，３６で成形でき、金型３５，３６を図８（ｂ）における上下方向へのスライドのみで型抜きを行なうことができ、コストアップを招かない。必要に応じて、周辺光束遮光用部分を３以上の構成部分で構成することも可能である。
【００３６】
図７、図８に示した実施の形態では、第１結像光学素子であるシリンダレンズ１４ａは通常のシリンダレンズであってアパーチュア機能を有していない。従って、周辺光束部分を遮光するアパーチュア機能は、周辺光束遮光用部分１７あるいは１７１，１７２により実現されることになるが、周辺光束遮光用部分を有するハウジングに、前記請求項３または４または５または６記載の第１結像光学系を用いることもできる。
【００３７】
ここで、請求項３〜６に記載された「カップリングされた光束の光束断面を規制するアパーチュア機能」を有する第１結像光学系の例を説明する。
【００３８】
図１（ａ）において、「第１結像光学系」としてのシリンダレンズ１４は平凸のシリンダレンズであり、その凸面は入射側に向けられて「副走査対応方向にのみ正のパワー」を持つ。射出側、即ちポリゴンミラー１６側に向いた平レンズ面には「窪み」が形成されている。
【００３９】
即ち、図１（ｂ）における（ｂ−１）は、シリンダレンズ１４を主走査対応方向からみた状態であり、右側、即ち凸面の側が「光入射側」である。（ｂ−２）はシリンダレンズ１４を射出側からみた図、（ｂ−３）はシリンダレンズ１４を副走査対応方向から見た図である。
【００４０】
図１（ｂ）の（ｂ−２）に示すように「窪み」の部分は、その底部に当る長方形状部分１４Ａと、その回りを囲む斜面部分１４Ｂとにより構成されており、長方形状部分１４Ａは平面で、シリンダレンズ１４の射出面の平面と平行である。
【００４１】
図１（ｃ）において、シリンダレンズ１４は「光軸ＡＸを含む主走査対応方向に平行な面」により仮想的に切断されている。カップリングレンズ１２により平行光束にカップリングされた光束は、シリンダレンズ１４に入射すると、入射面をなす凸シリンダ面により、副走査対応方向（図１（ｃ）において図面に直交する方向）にのみ収束されつつシリンダレンズ１４を透過する。
【００４２】
シリンダレンズ１４の射出側面に形成された窪みにおける長方形状部分１４Ａ（図１（ｂ）の（ｂ−２）において破線でハッチを施した部分）は、図１（ｃ）に示すように、カップリングされた光束の主光線を含み光スポットを形成する主光束部分ＬＡを通過させ、斜面部分１４Ｂは、主光束部分ＬＡの周辺の周辺光束部分ＬＢを主光束部分ＬＡとは異なる方向（主光束部分ＬＡから離れる方向）へ屈折させる。
【００４３】
このようにして、シリンダレンズ１４に入射する光束のうち、光スポットの形成に供される主光束部分ＬＡのみが「被走査面に至る光路」を進行することに成り、周辺光束部分ＬＢは被走査面に至る光路から分離される。換言すれば、第１結像光学系であるシリンダレンズ１４は「カップリングされた光束の光束断面を規制するアパーチュア機能」を有する。
【００４４】
上に説明したように、図１に示す光走査装置において、第１結像光学系であるシリンダレンズ１４は、副走査対応方向にのみ正のパワーを有し、主光束部分ＬＡを通過させる部分１４Ａの周囲に、周辺光束部分ＬＢを主光束部分と異なる方向へ屈折させる周辺光束部分用の斜面部分１４Ｂを「屈折面部分」として有する（請求項４）。
【００４５】
上記主光束部分ＬＡを通過させる部分１４Ａの長方形形状（図１（ｂ）の（ｂ−２）参照）における長辺の長さにより光スポットの主走査方向のスポット径を、また短辺の長さにより副走査方向のスポット径を調整できる。
【００４６】
図１（ｃ）において、屈折面部分としての斜面部分１４Ｂの傾斜角をθ、周辺光束部分ＬＢが主光線となす角をθ’とすると、これらの角：θ，θ’は、シリンダレンズ１４の材質の屈折率をＮとして、関係「θ’＝ｓｉｎ-1（Ｎ×ｓｉｎθ）−θ」を満足する。例えば、θ＝３０度、Ｎ＝１．５２とすると、θ’は略１９．５度となり、主光束部分ＬＡと周辺光束部分ＬＢの分離には十分である。
【００４７】
斜面部分１４Ｂの傾斜角：θが大きくなれば、角：θ’も大きくなるが、図２に示すシリンダレンズ１４０のように、斜面部分１４Ｂ１の傾斜角：θがさらに大きくなって不等式「θ＞ｓｉｎ-1（１／Ｎ）」が成り立つようになると、カップリングされてシリンダレンズ１４０に入射する光束の周辺光束部分ＬＢは、斜面部分１４Ｂ１によりシリンダレンズ１４の内部で全反射され、窪みの底部の長方形状部分１４Ａ１を通過する主光束部分ＬＡと分離することになる。
【００４８】
即ち、図２において、第１結像光学系である副走査対応方向にのみ正のパワーを有するシリンダレンズ１４０の、主光束部分を通過させる部分である長方形状部分１４Ａ１の周囲に、周辺光束部分ＬＢを主光束部分と異なる方向へ反射させる反射面として斜面部分１４Ｂ１が形成され（請求項５）、しかも反射面である斜面部分１４Ｂ１は「全反射面」である（請求項６）。
【００４９】
斜面部分に「全反射を起こさせるほどの傾斜角」が無い場合でも、斜面部分に「反射膜」を形成することにより、周辺光束部分ＬＢをシリンダレンズの内部で反射させることにより主光束部分ＬＡから分離させるようにしても良いことは言うまでもない。
【００５０】
ところで、主光束部分ＬＡから分離される周辺光束部分ＬＢの分離角を大きくするために斜面部分の傾斜角：θを大きくしていくと、斜面部分の「光軸に直交する平面への射影面積」は小さくなる。このため、図３に示すように、カップリングされてシリンダレンズ１４５に入射する光束の光束径が大きい場合には、長方形状部分１４Ａ２を通過する主光束部分ＬＡに対し、その「すぐ外側」にある周辺光束部ＬＢは斜面部分１４Ｂ２により主光束部分ＬＡから分離するが、さらに「その外側」の最外光束部分ＬＣが、シリンダレンズ１４５を透過して被走査面に至り、光スポットの形成に参与し、光スポット形状を乱す原因となる。
【００５１】
このような問題を有効に除去するためには、図４に示すように、シリンダレンズ１４７の射出面側における長方形状部分１４Ａ３の外側の、周辺光束部分を屈折もしくは反射させる面である斜面部分１４Ｂ３の更に外側の部分に、周辺光束部分（前記図３のＬＡまたはＬＡとＬＣ）を遮光するための遮光部１５を形成すればよい。
【００５２】
遮光部１５の内の、遮光部分１５ａは、入射光束のうち、斜面部分１４Ｂにより全反射されない光束（図３の最外光束部分ＬＣ）の射出を遮断するための部分であり、遮光部分１５ｂは斜面部分１４Ｂにより全反射された光束部分を遮断するための部分である。遮光部分１５ｂは必ずしも必要では無いが、斜面部分１４Ｂにより主光束部分から分離された周辺部光束がシリンダレンズから射出して迷光として光走査に影響を与える虞れを除く上で設けたほうが良い。遮光部１５は印刷もしくはコーティングにより容易且つ確実に形成できる。
【００５３】
ところで、光走査装置に設けられている従来のアパーチュアの機能は、カップリングされた光束の周辺光束部を遮断して、光スポットの形状およびスポット径を安定させることであるから、基本的には、図５に示すようにアパーチュア１５０をシリンダレンズ１４８のレンズ面に直接、印刷あるいはコーティングにより形成してもアパーチュアを設ける目的は達成できる。
【００５４】
しかし、図５に示すようにアパーチュア１５０をシリンダレンズ１４８のレンズ面に直接、印刷等により形成する場合、形成されるアパーチュア１５０とシリンダレンズ１４８との正確な位置合わせは必ずしも容易でない。
【００５５】
そこで参考技術１では、図６に示すように、第１結像光学系としてのシリンダレンズ１４９の射出側の面に「カップリングされた光束の主光線を含み、光スポットを形成する主光束部分を通過させる部分」を窪み１４１として形成し、窪み１４１の周囲の部分に周辺光束遮光部１５０を印刷もしくはコーティングにより形成する。シリンダレンズ１４９は、プラスチックによる成形加工で作成するのが実際的であり、窪み１４１は、金型を用いれば容易かつ確実にシリンダレンズ１４９に対する位置精度良く形成でき、窪み１４１の形成された面に均一に周辺光束遮光部１５０を印刷により形成すれば、窪み１４１の内部は自動的に「印刷されずにのこる」から周辺光束遮光部１５０の形成は容易である。周辺光束遮光部１５０をコーティングにより形成する場合には、窪み１４１に詰物をしてコーティングを行い、コーティング後に詰物を除去すればよい。
【００５６】
窪み１４１を有するシリンダレンズ１４９を金型で形成する場合に、金型の抜きを容易にするように、窪み１４１の側壁部分に若干のテーパを付けるのが良い。このようにすると、テーパの付いた側壁部分は、主光束部分のすぐ外側にある周辺光束部分に対しては全反射面として作用するが、この部分で全反射された周辺光束部分は周辺光束遮光部１５０により遮光されるので問題ない。
【００５７】
図９は、図７（ａ）に示すハウジングに、図３に即して説明したシリンダレンズ１４５を設けた例を示す。図９（ａ）は、シリンダレンズ１４５を、周辺光束遮光用部分１７よりもポリゴンミラー側に配備した形態であり、カップリングレンズ１２によりカップリングされた光束は、周辺光束遮光用部分１７により周辺光束部分の外側部分を遮断されてシリンダレンズ１４５に入射する。
【００５８】
そして、主光束部分ＬＡはシリンダレンズ１４５を通過し、主光束部分ＬＡのすぐ外側にある周辺光束部分ＬＢは、全反射されて主光束部分ＬＡから分離される。
【００５９】
図９（ｂ）は、シリンダレンズ１４５を周辺光束遮光用部分１７よりもコリメートレンズ１２側に配備した形態である。カップリングレンズ１２によりカップリングされた光束は、シリンダレンズ１４５に入射すると主光束部分ＬＡのすぐ外側の周辺光束部分ＬＢが全反射されて主光束部分ＬＡと分離し、周辺光束部分ＬＢよりも外側の最外周辺光束部分ＬＣと主光束部分ＬＡとはシリンダレンズ１４５を通過する。これらのうち、最外周辺光束部分ＬＣが周辺光束遮光用部分１７により遮断される。かくして、主光束部分ＬＡのみがポリゴンミラー側へ進行する。
【００６０】
参考技術２の光走査装置では、光学系を配備されるハウジングが金型により成形されるものであり、第１結像光学系の有するアパーチュア機能により、主光束部分とは異なる方向へ反射もしくは屈折された周辺光束部分を遮光する遮光部を、ハウジングに一体として形成することもできる。
【００６１】
図１０（ａ）に示す参考技術２の実施形態では、図１に即して説明したシリンダレンズ１４において、屈折により主光束部分ＬＡと分離した周辺光束部分ＬＢを遮光する遮光部１９１がハウジングと一体に形成されている。また、図１０（ｂ）に示す実施形態では、図２に即して説明したシリンダレンズ１４０において、全反射により主光束部分ＬＡと分離した周辺光束部分ＬＢを遮光する遮光部１９２がハウジングと一体に形成されている。
【図面の簡単な説明】
【００６２】
【図１】光走査装置とアパーチュア機能を持つ第１結像光学系を説明するための図である。
【図２】請求項５、６に記載の第１結像光学系を説明するための図である。
【図３】カップリングされてシリンダレンズ１４５に入射する光束の光束径が大きい場合の問題点を説明するための図である。。
【図４】図３の場合における問題点の解決を説明するための図である。
【図５】参考技術１に対する課題を説明するための図である。
【図６】参考技術１の１実施形態を説明するための図である。
【図７】請求項１記載の発明の実施の１形態を説明するための図である。
【図８】請求項２記載の発明の実施の別形態を説明するための図である。
【図９】請求項３記載の発明の実施の実施の形態を説明するための図である。
【図１０】参考技術２の１実施形態を説明するための図である。
【符号の説明】
【００６３】
１４ａ      第１結像光学系としてのシリンダレンズ
１７        カップリングされた光束の主光線を含み光スポットを形成する主光束部分を通過させ、主光束部分の外側の周辺光束部分を遮断する周辺光束遮光用部分１７
２０        周辺光束遮光用部分１７を一体に形成されたハウジング
【図１】
2004272273.tif 000003
【図２】
2004272273.tif 000004
【図３】
2004272273.tif 000005
【図４】
2004272273.tif 000006
【図５】
2004272273.tif 000007
【図６】
2004272273.tif 000008
【図７】
2004272273.tif 000009
【図８】
2004272273.tif 000010
【図９】
2004272273.tif 000011
【図１０】
2004272273.tif 000012